(57)【要約】      （修正有）【課題】泥はねによる汚れを防止できる犬用衣服を提供する。【解決手段】犬用衣服１０は、犬１２の胸部１２ａ及び前方の腹部１２ｂを覆う第一ボディ部１４と、後方の腹部１２ｃ及び臀部１２ｄを覆う第二ボディ部１６と、腰部１２ｅを覆う第三ボディ部１８を備える。第一ボディ部１４及び第二ボディ部１６には、排泄用の開口部２３を設け、また、第二ボディ部１６をその左右の縁を内側に湾曲させてくびれた形に形成し、第一ボディ部１４の後方の縁と、第二ボディ部１６の縁と、第三ボディ部１８の前方の縁とから形成される後足挿入部２４ａ，２４ｂを左右に設ける。これにより、後足挿入部及び後足覆い部で後足をすっぽり覆うことができ、後足が露出する部分がなくなることから、後足に泥はねが付かず汚れないようにすることができる。【選択図】図３
2015149914.tif 000002
【特許請求の範囲】
【請求項１】
犬の胸部及び前方の腹部を覆う第一ボディ部と、第一ボディ部の後方に連続する後方の腹部及び臀部を覆う第二ボディ部と、第二ボディ部の後方に連続する腰部を覆う第三ボディ部を備え、腹部を覆う第一ボディ部及び第二ボディ部又は第二ボディ部に排泄用の開口部を設け、第二ボディ部をその左右の縁を内側に湾曲させてくびれた形に形成し、第一ボディ部の後方の縁と、第一ボディ部の後方の縁に連続する第二ボディ部の縁と、第二ボディ部の縁に連続する第三ボディ部の前方の縁とから形成される後足挿入部を左右に設けるものであって、犬の尾に排泄用の開口部を引っ掛けて、装着することを特徴とする犬用衣服。
【請求項２】
排泄用の開口部を円形又は楕円形に形成することを特徴とする請求項１記載の犬用衣服。
【請求項３】
第一ボディ部の左右にそのボディ部に連続して形成される後ろ身頃を設け、後ろ身頃と第三ボディ部に面ファスナーを備え、面ファスナーを用いて装着することを特徴とする請求項１記載の犬用衣服。
【請求項４】
後足挿入部の両端を連結する所定の長さの連結部を設けることを特徴とする請求項３の犬用衣服。
【発明の詳細な説明】
【技術分野】
【０００１】
本発明は、雨が上がりなど濡れた路面を散歩させるときに犬などの動物に着用させる犬用衣服に関するものである。
【背景技術】
【０００２】
雨上りに犬（ペット）を散歩させる場合、犬が歩く又は走る際、犬の体に泥はねが付いて犬が汚れる。そのため、従来、泥はねによる汚れを防止するため、犬の胸、腹、足などを覆うペット用の衣服が提供されていた（たとえば、特許文献１）。
【先行技術文献】
【特許文献】
【０００３】
【特許文献１】実公平６−３３８１３号公報
【発明の概要】
【発明が解決しようとする課題】
【０００４】
特許文献１の犬用衣服は、ペットドック用のレインコートであり、レインコート本体を形成するボディ部と、ボディ部の前方に連設された左右の前足挿入部と、ボディ部の後方に連設された左右の後足挿入部とから構成されている。ボディ部は犬の胴部（胸部及び腹部）を下面から覆うように構成され、ボディ部の左右縁部を犬の背中で連結することにより、犬にレインコートを装着するものである。これにより、泥はねが付いて犬が汚れることを防止できる。
【０００５】
特許文献１の犬用衣服は、ボディ部の後方に連設された左右の後足挿入部及びその後足挿入部に縫合される後足覆い部（袖のようなもの）の内側の一部を切り取って、排泄用の開口部を幅広く形成したものであった。
図５に示すように、従来の犬用衣服１００は、排泄用の開口部１０２から後足１０４、臀部１０６、腹部１０８（の被毛）が露出することから、泥はねが付き、犬が汚れることがあった。
なお、図５（ａ）は、従来の犬用衣服を装着させたときの臀部・後足を表わす図であり、図５（ｂ）は、従来の犬用衣服を装着させたときの腹部を表わす図である。
【０００６】
本発明は、上記課題を解決するもので、泥はねによる汚れを防止できる犬用衣服を提供することを目的とするものである。
【課題を解決するための手段】
【０００７】
本発明の犬用衣服は、犬の胸部及び前方の腹部を覆う第一ボディ部と、第一ボディ部の後方に連続する後方の腹部及び臀部を覆う第二ボディ部と、第二ボディ部の後方に連続する腰部を覆う第三ボディ部を備え、腹部を覆う第一ボディ部及び第二ボディ部又は第二ボディ部に排泄用の開口部を設け、第二ボディ部をその左右の縁を内側に湾曲させてくびれた形に形成し、第一ボディ部の後方の縁と、第一ボディ部の後方の縁に連続する第二ボディ部の縁と、第二ボディ部の縁に連続する第三ボディ部の前方の縁とから形成される後足挿入部を左右に設けるものであって、犬の尾に排泄用の開口部を引っ掛けて、装着するようにしたものである。
また、排泄用の開口部を円形又は楕円形に形成するようにしたものである。
また、第一ボディ部の左右にそのボディ部に連続して形成される後ろ身頃を設け、後ろ身頃と第三ボディ部に面ファスナーを備え、面ファスナーを用いて装着するようにしたものである。また、後足挿入部の両端を連結する所定の長さの連結部を設けるようにしたものである。
【発明の効果】
【０００８】
本発明は、後足挿入部及び後足覆い部の内側の一部を切り取って排泄用の開口部を広く形成する従来の犬用衣服とは異なり、腹部を覆うボディ部に排泄用の開口部を形成するものである。これにより、後足挿入部及び後足覆い部で後足をすっぽり覆うことができ、後足に泥はねが付かず汚れないようにすることができる。
また、犬の尾に排泄用の開口部を引っ掛けて装着することから、本発明の犬の衣服を装着した時、排泄用の開口部は、陰部の部分を開口する程度の隙間しか形成されないため、腹部と臀部の被毛がある部分に泥はねが付かないようにすることができる。
以上のように、本発明によると、後足、臀部、腹部に泥はねを付けないようにすることができる。
【図面の簡単な説明】
【０００９】
【図１】本発明の雄の犬用衣服のボディ部を表わす図である。
【図２】本発明の雌の犬用衣服のボディ部を表わす図である。
【図３】本発明の雄の犬用衣服を装着させた使用状態図である。
【図４】本発明の犬用衣服を装着させたときの排泄用の開口部を表わす図である。
【図５】従来の犬用衣服を着用させたときの臀部及び排泄用の開口部の開口状態を表わす図である。
【発明を実施するための形態】
【００１０】
本発明は、雨上りに犬を散歩させる際、犬に泥はねが付かないようにすることを実現するものである。
【実施例】
【００１１】
本発明の犬用衣服を図に基づいて説明する。図１は、本発明の雄の犬用衣服のボディ部を表わす図である。図２は、本発明の雌の犬用衣服のボディ部を表わす図である。図３は、本発明の雄の犬用衣服を装着させた使用状態図であり、図（ａ）は側面図、図（ｂ）は背面図（臀部・後足を表わす図）、図（ｃ）は平面図（腰部を表わす図）である。図４は、本発明の犬用衣服を装着させたときの排泄用の開口部を表わす図であり、図（ａ）は雄の犬用衣服を表わす図、図（ｂ）は雌の犬用衣服を表わす図である。
本発明の犬用衣服１０は、犬１２の胸部１２ａ及び前方の腹部１２ｂを覆う第一ボディ部１４（前身頃）と、第一ボディ部１４の後方に連続する後方の腹部１２ｃ及び臀部１２ｄを覆う第二ボディ部１６（前身頃）と、第二ボディ部１６の後方に連続する腰部１２ｅを覆う第三ボディ部１８（後ろ身頃）を備えるものである（図１及び図２）。なお、第一ボディ部１４の前方部には、前足挿入部２０（前足を挿入する環状の空間を形成する部分）を設けられている。前足挿入部２０には、前足覆い部２２を縫合する（図３（ａ））。
【００１２】
雄の犬用衣服１０は、腹部１２ｂ，１２ｃを覆う第一ボディ部１４及び第二ボディ部１６に排泄用の開口部２３を設ける（図１、図３、図４（ａ））。雌の犬用衣服１０は、腹部１２ｃを覆う第二ボディ部１６に排泄用の開口部２３を設ける（図２、図４（ｂ））。
また、第二ボディ部１６をその左右の縁を内側に湾曲させてくびれた形に形成し、第一ボディ部１４の後方の縁１４ａ，１４ｂと、第一ボディ部１４の後方の縁１４ａ，１４ｂに連続する第二ボディ部１６の縁１６ａ，１６ｂと、第二ボディ部１６の縁１６ａ，１６ｂに連続する第三ボディ部１８の前方の縁１８ａ，１８ｂとから形成される後足挿入部２４ａ，２４ｂ（図１及び図２の太線部）を左右に設ける。後足挿入部２４ａ，２４ｂの両端を結合し、後足挿入部２４ａ，２４ｂを環状に形成して、後足覆い部２６を縫合する。
本発明は、腹部を覆うボディ部に排泄用の開口部を形成するものであり、後足挿入部及び後足覆い部の内側の一部を切り取って排泄用の開口部を広く形成する従来の犬用衣服とは異なり、後足挿入部及び後足覆い部で後足をすっぽり覆うことができ、後足が露出する部分がなくなることから、後足に泥はねが付かず、汚れないようにすることができる。
【００１３】
犬１２に犬用衣服１０を装着する場合は、犬１２の尾１２ｇに排泄用の開口部２３を引っ掛けて、装着するようにしたものである。これにより、排泄用の開口部２３は、陰部の部分を開口する程度の隙間しか形成されないため、腹部１２ｃと臀部１２ｄの被毛がある部分に泥はねが付かないようにすることができる。
【００１４】
排泄用の開口部２３を円形又は楕円形に形成する（図１、図２）。排泄用の開口部２３を円形又は楕円形に形成することにより、排泄用の開口部２３で陰部のまわりを囲い込むことができる（図４）。また、排泄用の開口部２３の縁に伸縮性のある部材（例えばゴム紐など）を備えるようにしてもよい。排泄用の開口部２３の縁を伸縮させることにより、排泄用の開口部２３を腹部１２ｂ，１２ｃにフィットさせることができ、排尿時に尿が犬用衣服１０にかからないようにすることができる。
以上のように、本発明によると、胸部のほか、腹部、臀部、後足にも泥はねが付かず、犬を汚さずに散歩させることができる。
【００１５】
また、第一ボディ部１４の左右にそのボディ部１４に連続して形成される後ろ身頃２８を設け、後ろ身頃２８の前方部に面ファスナー３０ａ，３０ｂを、後方部に面ファスナー３２ａ，３２ｂをそれぞれ備え、第三ボディ部１８に面ファスナー３４ａ，３４ｂを備える。犬１２に犬用衣服１０を装着する場合は、面ファスナー３０ａ，３０ｂ、３２ａ，３２ｂ、３４ａ，３４ｂを用いる。
犬用衣服１０は、犬１２の胸部１２ａ、腹部１２ｂ，１２ｃ、臀部１２ｄを下面から覆うように構成されている。犬１２に犬用衣服１０を装着する場合、前足挿入部２０、後足挿入部２４に、前足１２ｈ、後足１２ｆを入れた後、後ろ身頃２８を背部（背中）に配置し、面ファスナー３０ａに面ファスナー３０ｂを貼り付け、また、第三ボディ部１８を腰部１２ｅに配置して、第三ボディ部１８の面ファスナー３４ａ，３４ｂに後ろ身頃２８の面ファスナー３２ａ，３２ｂをそれぞれ貼り付ける。
【００１６】
後足挿入部２４ａ，２４ｂに、その両端を連結する所定の長さの連結部３６を設けてもよい（図３（ａ））。これにより、犬１２に犬用衣服１０を装着する際（第三ボディ部１８の面ファスナー３４ａ，３４ｂに後ろ身頃２８の面ファスナー３２ａ，３２ｂを貼り付ける際）、連結部３６の長さの範囲で、後ろ身頃２８の面ファスナー３２ａ，３２ｂを貼り付ける位置を調節（変更）することができ、犬１２の体に犬用衣服１０をフィットさせることができる。
【００１７】
なお、後足挿入部２４ａ，２４ｂに、第一ボディ部１４の後方の縁１４ａ，１４ｂに連続する後ろ身頃２８の後方の縁２８ａ，２８ｂを加えてもよい。
【００１８】
本発明の「犬」は、犬に限定するものではなく、排泄用の開口部を引っ掛ける「尾」があり、本発明を装着できる動物を含むものである。
【符号の説明】
【００１９】
１０  犬用衣服
１２  犬
１２ａ  胸部
１２ｂ，１２ｃ  腹部
１２ｄ  臀部
１２ｅ  腰部
１２ｇ  尾
１４  第一ボディ部
１６  第二ボディ部
１８  第三ボディ部
２３  排泄用の開口部
２４  後足挿入部
２８  後ろ身頃
３０ａ，３０ｂ、３２ａ，３２ｂ、３４ａ，３４ｂ  面ファスナー
３６  連結部
【図１】
2015149914.tif 000003
【図２】
2015149914.tif 000004
【図３】
2015149914.tif 000005
【図４】
2015149914.tif 000006
【図５】
2015149914.tif 000007